(57)【要約】      （修正有）【課題】ロケット花火の白煙で飛跡がよくわかり「飛んだ。」という実感がわき，残渣を残さない，そして四季を通じて遊べるロケット花火玩具を提供する。【解決手段】ニトロセルロースラッカー又は『「ニトロセルロースを溶解する有機溶剤」でニトロセルロースを溶解した溶液』を黒色火薬に加え混せ合わせ，ロケット形状又は円柱状に形成し，円柱状の両端若しくは片端に錘状の形状になさしめ，発射筒に挿入し，或いは発射台に設置し，着火し発射し、白煙による飛翔の軌跡が判るロケット花火玩具。【選択図】図７
2015214471.tif 000002
【特許請求の範囲】
【請求項１】
二トロセルロースラッカー又は『「ニトロセルロースを溶解する有機溶剤」でニトロセルロースを溶解した液剤』を黒色火薬に加え混ぜ合わせた物。
【請求項２】
請求項１の物をロケット燃料として使用すること。
【請求項３】
請求項１の物をロケット状に形成し，又は円柱状に形成し，又は円柱状の物の両端若しくは片端を錘状の形状に形成した物。
【発明の詳細な説明】
【技術分野】
【０００１】  本発明は，ロケット花火玩具に関するものである。
【背景技術】
【０００２】  従来のロケット花火玩具は，導火線をキャップ内部にしかけ，キャップ内部上部に爆薬をしかけてあり，キャップに細長い竹ひごを取り付けた構造であった。【０００３】  従来のロケット花火玩具は，空き瓶等に立てた上，導火線に点火すると「ヒュー」と音を立てて上昇し「パン」と爆発音を立てて落下し，あっけないものであった。【０００４】  飛跡も見えず，どこで破裂したのかわからなかった。そして当該ロケットキャップと竹ひごは，どこへ落下したのかわからず，結局ゴミとして放置されるだけで，一種の環境汚染をなしていた。
【発明の開示】
【発明が解決しようとする課題】
【０００５】  従来のロケット花火玩具は，夏に使用するのが主で，他の季節で遊ぶことは少なかった。本発明は，四季を通じて遊べるものとしている。【０００６】  白煙の飛跡がみえるようにし「飛んだ。」と実感することと，完全燃焼することによりゴミが一切で出ないことである。
【発明が解決するための手段】
【０００７】  ニトロセルロースラッカー又は『「ニトロセルロースを溶解する有機溶剤」でニトロセルロースを溶解した液剤』を黒色火薬に加え混ぜ合わせロケット形状又は円柱状若しくは円柱状の両端若しくは片端に錘状の形状になさしめ，発射筒に挿入し，又は発射台に設置し，着火し発射するロケット花火玩具である。構造的には，ノーズコーンもボディチューブ，フィンもなく，いわば「裸のロケット」ともいうべきものである。ロケット燃料丸出しの構造といえる。
【０００８】  ニトロセルロースラッカーの溶剤のエステルとしては，酢酸エチル，酢酸ブチル，乳酸エチルがある。
【０００９】  ニトロセルロースラッカーの溶剤のケトンとしては，アセトン，エチルメチルケトン，イソブチルメチルケトン，ジアセトンアルコール，シクロヘキサノンがある。
【００１０】  ニトロセルロースラッカーの溶剤のエーテルとしては，セロソルブ，ブチルセロソルブがある。
【００１１】  ニトロセルロースラッカーの助溶剤としては，メチルアルコール，エチルアルコール，ブチルルコールがある。
【００１２】  ニトロセルロースラッカーの希釈剤のタール系としては，ベンゼン，トルエン，キシレン，ソルペントナフタ，石油系としては工業ガソリン〔溶解力の大きいもの〕がある。
【００１３】  ニトロセルロースをよく溶解させる有機溶剤としては，アセトン又は酢酸エチル又はエーテル〔２溶〕エタノール〔１溶〕混液がある。
【００１４】  黒色火薬の標準組成は，硝酸カリウム７５％，硫黄１０％，木炭１５％である。
【００１５】  硝酸カリウム５０〜８０％，硫黄３〜３０％，木炭１０〜４０％の範囲内であれば正常な燃焼を行う。
【発明を実施するための最良の形態】
【００１６】  以下，本発明の最良の実施の形態について説明する。
第一に標準組成の黒色火薬を用意する。次に，溶剤のエステルが酢酸エチルであるニトロセルロースラッカーに混ぜ合わせ，よく煉り込みロケット形状の金型にはめ，乾燥の上，形成する。
【発明の効果】
【００１７】  硫黄は着火温度を下げ，炎を大きくし，ガス発生量を増加する作用を有する。また硫黄燃焼中に生成する硫化水素や一酸窒素の作用によって，有毒な一酸化炭素やシアン化水素の生成を抑える。
【００１８】  木炭は多量のガスと熱とを発生する要素であるので，その品質が黒色火薬の燃焼性に大きい影、響を及ぼすが，同時に機械的外力に対する緩衝作用も与えている。
【００１９】  ニトロセルロースラッカー又は『「ニトロセルロースを溶解する有機溶剤」でニトロセルロースを溶解した液剤』は，高温燃焼を維持する働きがある。
硝酸カリウムは，酸素を供給し燃焼を維持する効果がある。
【００２０】  手で持つ発射筒は，火傷防止上，セラミック製が望ましい。ロケット花火玩具が発射筒から滑り落ちない構造が必要である。花火ロケット玩具錘状の先端部が最も着火しやすい。
発射台は，木製，金属製，セラミック製等でよい。
【００２１】  本発明を利用した的当てゲームを紹介する。
得点とその範囲を記入した方形，丸型の１枚以上の薄紙を用意し，土地に立て，それをめがけてロケット花火玩具を発射し，当てた得点の大小を競うものである。
【００２２】  延焼防止のため，的用紙にケイ酸カルシウム水溶液を霧吹きで塗布しておくとよい。
【００２３】  本発明の効果は，スマホ，テレビゲーム，タブレット端末，ケイタイ等で自分の殻にこもりがちな青少年を大空のもとに出させ，大空にロケット花火を打ち上げることにより，産業上大きい効果があるのみならず，広い精神を身につかさせ，教育的効果も，大なるものがある。
【図面の簡単な説明】
【図１】従来の技術の一実施例を示す花火ロケット玩具の斜視図。
【図２】本発明に係るロケット状のロケット燃料の斜視図。
【図３】本発明に係る円柱状のロケット燃料の斜視図。
【図４】本発明に係る円柱状ロケット燃料のうち両極端が錘状のものの斜視図。
【図５】本発明に係る円柱状ロケット燃料のうち片端のみが錘状のものの斜視図。
【図６】本発明に係るロケット燃料を成型する金型の一実施例の正面図。
【図７】本発明のロケット花火玩具を発射筒に挿入しマッチで着火し発射しようとするところの断面図。ロケット花火が発射筒からずり落ちないように「ストッパー」を設けている。
【図８】本発明のロケット花火玩具を発射台に設置しマッチで着火し発射しようとするところの斜視図。ロケット花火が発射台からずり落ちないように「ストッパー」を設けている。
【図９】本発明に係る「的当てゲーム」のうち，１枚以上の方形，丸形の用紙に得点を記入し土地に立て当てた得点の大小を争うものの斜視図。
【符号の説明】１  導火線
２  爆薬
３  ロケットキャップ
４  竹ひご
５  空き瓶
６  ロケット花火が発射筒からずり落ちるのを防ぐ「ストッパー」
７  ロケット花火が発射台からずり落ちるのを防ぐ「ストッパー」
【図１】
2015214471.tif 000003
【図２】
2015214471.tif 000004
【図３】
2015214471.tif 000005
【図４】
2015214471.tif 000006
【図５】
2015214471.tif 000007
【図６】
2015214471.tif 000008
【図７】
2015214471.tif 000009
【図８】
2015214471.tif 000010
【図９】
2015214471.tif 000011